(57)【要約】  充電式スティック型真空掃除機（３）と充電ドック（５）とを備える真空掃除機組立体（１）が開示される。真空掃除機（３）は細長本体（７）を備える。真空掃除機（３）は、細長本体（７）が第１の方向（ｄ１）に沿って延在するような充電ドック（５）に取り外し可能に置かれるように構成されている。組立体（１）は、真空掃除機（３）の第１の部分（１１）を充電ドック（５）に固定させるように構成された磁性組立体（９、９'）と、真空掃除機（３）の第２の部分（１５）を充電ドック（５）に固定させるように構成された第２の固定組立体（１３、１３'）とをさらに備える。第２の部分（１５）は、第１の方向（ｄ１）に沿って第１の部分（１１）から距離（ｄ）をあけて配置されている。
2021505222.tif 000002
【特許請求の範囲】
【請求項１】
真空掃除機組立体において、
−  充電式スティック型真空掃除機と、
−  充電ドックと
を備え、
前記真空掃除機が細長本体を備え、
前記真空掃除機が、前記細長本体が第１の方向に沿って延在するような前記充電ドックに取り外し可能に置かれるように構成されており、
前記組立体が、
−  前記真空掃除機の第１の部分を前記充電ドックに固定させるように構成された磁性組立体と、
−  前記真空掃除機の第２の部分を前記充電ドックに固定させるように構成された第２の固定組立体と
をさらに備え、
前記第２の部分が、前記第１の方向に沿って前記第１の部分から距離をあけて配置されている、
真空掃除機組立体。
【請求項２】
前記距離が、前記真空掃除機の前記第１の方向への長さの５％、１０％、又は１５％より大きい、
請求項１に記載の組立体。
【請求項３】
前記充電ドックが、床面上に置かれるように構成され、
前記充電ドックが前記床面上に置かれたとき、前記第１の方向と前記磁性組立体とを備える平面が、前記床面に対して略垂直である、
請求項１又は２に記載の組立体。
【請求項４】
前記真空掃除機が、少なくとも１つの車輪を備え、
前記第２の部分が、前記少なくとも１つの車輪の一部である、
請求項１〜３のいずれか一項に記載の組立体。
【請求項５】
前記真空掃除機が床掃除ノズルを備え、
前記第２の部分が前記床掃除ノズルの一部である、
請求項１〜４のいずれか一項に記載の組立体。
【請求項６】
前記第２の固定組立体が、少なくとも１つの突起を備える、
請求項１〜５のいずれか一項に記載の組立体。
【請求項７】
前記第２の固定組立体が、前記充電ドックに配置された突起を備え、
前記真空掃除機が前記充電ドックに取り外し可能に置かれたときに、前記突起が前記床掃除ノズルに当接するように構成されている、
請求項５又は６に記載の組立体。
【請求項８】
前記第２の固定組立体が、少なくとも１つの凹部を備える、
請求項１〜７のいずれか一項に記載の組立体。
【請求項９】
前記第２の固定組立体が、前記床掃除ノズルに配置された凹部を備え、
前記充電ドックが、前記真空掃除機が前記充電ドックに取り外し可能に置かれたときに、前記凹部に延在するように構成された突起を備える、
請求項７又は８に記載の組立体。
【請求項１０】
前記第２の固定組立体が、第２の磁性組立体を備える、
請求項１〜９のいずれか一項に記載の組立体。
【請求項１１】
前記充電ドックが床面上に置かれるように構成され、
前記充電ドックが傾斜部を備え、
前記充電ドックが前記床面上に置かれたとき、前記傾斜部が前記床面に隣接している、
請求項１〜１０のいずれか一項に記載の組立体。
【請求項１２】
前記傾斜部が傾斜面を備え、
前記傾斜面と前記床面との間の角度が２０度より小さい、
請求項１１に記載の組立体。
【請求項１３】
前記充電ドックが第１の接触ユニットを備え、
前記真空掃除機が、前記真空掃除機が前記充電ドックに取り外し可能に置かれたときに、前記第１の接触ユニットに当接するように構成された第２の接触ユニットを備え、
前記第１及び第２の接触ユニットのうちの少なくとも１つが、移動可能に配置されている、
請求項１〜１２のいずれか一項に記載の組立体。
【請求項１４】
前記磁性組立体が、前記真空掃除機の前記第１の部分を固定方向に前記充電ドックに固定させるように構成され、
前記第１及び第２の接触ユニットのうちの少なくとも１つが、前記固定方向に対して角度をつけられている第２の方向に、移動可能に配置されている、
請求項１３に記載の組立体。
【請求項１５】
前記第２の方向と前記固定方向との間の角度が１５〜９０度である、
請求項１４に記載の組立体。
【請求項１６】
前記固定方向が前記第１の方向に対して略垂直である、
請求項１４又は１５に記載の組立体。
【請求項１７】
前記充電ドックが、前記床面上に置かれるように構成され、
前記固定方向及び前記第２の方向が、前記床面に対して略平行である、
請求項１４〜１６のいずれか一項に記載の組立体。
【請求項１８】
前記第１の接触ユニット及び前記第２の接触ユニットの少なくとも１つがドーム形である、
請求項１３〜１７のいずれか一項に記載の組立体。
【発明の詳細な説明】
【技術分野】
【０００１】
本発明は、充電式スティック型真空掃除機と充電ドックとを備える真空掃除機組立体に関する。
【背景技術】
【０００２】
充電式スティック型真空掃除機は、ますます一般的になってきている。この理由は、充電式スティック型真空掃除が、使いやすくて、電源コードを必要とせず、使用しないときにあまり空間を必要としないためであることがある。充電式スティック型真空掃除機は、通常、充電式スティック型真空掃除機を使用しないときに取り外し可能に置くことができる充電ドックと一緒に販売される。充電ドックは、電源ソケットに接続されるように構成された電源コードを備える。充電ドックは、充電式スティック型真空掃除機が充電ドックに置かれたときに、充電式スティック型真空掃除機の電気的接触ユニットに当接するように構成された電気的接触ユニットをさらに備える。
【０００３】
充電式スティック型真空掃除機と充電ドックとを備える真空掃除機組立体は、いくつかの問題と関連付けられる。１つの問題は、充電ドックへの真空掃除機の厳密且つ安全な設置を提供することである。充電式スティック型真空掃除機と充電ドックとを備える真空掃除機組立体は、通常、真空掃除機を充電ドックに置くとき、真空掃除機を充電ドックに固定させるように構成された機械的固定組立体を備える。いくつかの固定組立体は、真空掃除機上の突起と、充電ドック上の溝とを備え（又は、逆もまた同じ）、真空掃除機を充電ドックに置くとき、突起が溝に延在するように構成されている。したがって、ユーザは通常、真空掃除機を充電ドックに置くとき、充電ドックに対して真空掃除機を持ち上げ、突起を溝に対して位置合わせしなければならない。この手順は面倒であり、突起を溝に対して位置合わせするために、ユーザの注意を必要とする。
【０００４】
同様に、真空掃除機を充電ドックから取り外すとき、ユーザは通常、真空掃除機を充電ドックに対して特定の方向に持ち上げなければならず面倒であり、真空掃除機を正確な方向に持ち上げるために、ユーザの注意を必要とする。ユーザが真空掃除機を正確な方向とは異なる方向に持ち上げた場合、充電ドックはおそらく、充電ドックが置かれた床面に沿って移動する、又は、床面から持ち上げられるであろう。ユーザは、これらの状況をどちらも否定的に認識するであろう。
【発明の概要】
【発明が解決しようとする課題】
【０００５】
本発明の目的は、上記問題及び欠点のうちの少なくともいくつかを克服、又は、少なくとも軽減することである。
【課題を解決するための手段】
【０００６】
本発明の第１の態様によると、本目的は、充電式スティック型真空掃除機と充電ドックとを備える真空掃除機組立体によって達成される。真空掃除機は細長本体を備える。真空掃除機は、細長本体が第１の方向に沿って延在するような充電ドックに取り外し可能に置かれるように構成されている。組立体は、真空掃除機の第１の部分を充電ドックに固定させるように構成された磁性組立体と、真空掃除機の第２の部分を充電ドックに固定させるように構成された第２の固定組立体とをさらに備える。第２の部分は、第１の方向に沿って第１の部分から距離をあけて配置されている。
【０００７】
結果として、真空掃除機の充電ドックへの設置を容易にする真空掃除機組立体が提供される。さらに、真空掃除機が充電ドックに置かれるときに真空掃除機が向く方向に対する依存性が小さい真空掃除機組立体が提供される。これは、組立体が、真空掃除機の第１の部分を充電ドックに固定させるように構成された磁性組立体と、真空掃除機の第２の部分を充電ドックに固定させるように構成された第２の固定組立体とを備えるためである。よって、真空掃除機を充電ドックに置くとき、ユーザは、真空掃除機を簡単に把持して、真空掃除機の第２の部分を充電ドックに置き、磁性組立体の磁気吸着部材が互いに近くなるように真空掃除機を位置合わせしてもよい。磁性組立体の磁気吸着部材が互いに近くなると、磁性組立体は真空掃除機の第１の部分を充電ドックに固定し、それにより、真空掃除機は、所定の安全な位置で充電ドックに設置される。
【０００８】
第２の部分が第１の方向に沿って第１の部分から距離をあけて配置されているので、真空掃除機の充電ドックへの厳密且つ安全な固定が提供される。さらに、第２の部分が第１の方向に沿って第１の部分から距離をあけて配置されるという事実により、充電ドックからの真空掃除機の取り外しが容易になる。これは、ユーザが充電ドックから真空掃除機を取り外したい場合、ユーザが、真空掃除機を簡単に把持して、第１の方向に対して垂直な方向へと真空掃除機上に力を加えることができるためである。結果として、磁気吸着部材の分離を引き起こす、磁性組立体の磁気吸着部材間の分離力が得られる。磁気吸着部材が分離されると、真空掃除機の第１の部分の充電ドックへの固定は解放される。次いで、ユーザは、簡単な方法で充電ドックから真空掃除機の第２の部分を解放し、充電ドックから真空掃除機を解放することができる。
【０００９】
したがって、充電ドックへの真空掃除機の厳密且つ安全な設置を提供する真空掃除機組立体が提供され、同時に、充電ドックへの真空掃除機の設置が容易になり、充電ドックからの真空掃除機の取り外しが容易になる。
【００１０】
したがって、上記問題及び欠点の少なくともいくつかを克服、又は、少なくとも軽減する真空掃除機組立体が提供される。結果として、上記目的が達成される。
【００１１】
任意選択的に、距離は、真空掃除機の第１の方向への長さの５％、１０％、又は１５％より大きい。それによって、充電ドックへの真空掃除機の厳密且つ安全な固定が保証される。さらに、充電ドックからの真空掃除機の容易な取り外しが保証される。
【００１２】
任意選択的に、充電ドックは、床面上に置かれるように構成され、充電ドックが床面上に置かれたとき、第１の方向と磁性組立体とを備える平面は、床面に対して略垂直である。それによって、真空掃除機の充電ドックへの厳密且つ安全な固定が提供される。
【００１３】
任意選択的に、真空掃除機は、少なくとも１つの車輪を備え、第２の部分は、少なくとも１つの車輪の一部である。それによって、ユーザが、充電ドックに真空掃除機を置くときに、充電ドックに対して少なくとも１つの車輪を置き、次いで、磁性組立体の磁気吸着部材が互いに近くなるように真空掃除機を位置合わせすることができる組立体が提供される。充電ドックに対する少なくとも１つの車輪の設置は、たとえば、充電ドックの一部の上に少なくとも１つの車輪をころがすことによって実行されてもよい。結果として、充電ドックへの真空掃除機の安全且つ簡単な固定が提供され、真空掃除機の設置並びに取り外しをさらに容易にする真空掃除機組立体が提供される。
【００１４】
任意選択的に、真空掃除機は床掃除ノズルを備え、第２の部分は床掃除ノズルの一部である。それによって、ユーザが、充電ドックに真空掃除機を置くときに、充電ドックに対して床掃除ノズルを置き、次いで、磁性組立体の磁気吸着部材が互いに近くなるように真空掃除機を位置合わせすることができる組立体が提供される。結果として、充電ドックへの真空掃除機の安全且つ簡単な固定が提供され、充電ドックへの真空掃除機の設置をさらに容易にする真空掃除機組立体が提供される。
【００１５】
任意選択的に、第２の固定組立体は、少なくとも１つの突起を備える。それによって、充電ドックへの真空掃除機の安全且つ簡単な固定が提供される。
【００１６】
任意選択的に、第２の固定組立体は、充電ドックに配置された突起を備え、突起は、真空掃除機が充電ドックに取り外し可能に置かれたときに、床掃除ノズルに当接するように構成される。それによって、ユーザは、充電ドックに真空掃除機を置くときに、突起が床掃除ノズルに当接しているように床掃除ノズルを置き、次いで、磁性組立体の磁気吸着部材が互いに近くなるように真空掃除機を位置合わせすることができる組立体が提供される。結果として、充電ドックへの真空掃除機の安全且つ簡単な固定が提供され、充電ドックへの真空掃除機の設置をさらに容易にする真空掃除機組立体が提供される。
【００１７】
任意選択的に、第２の固定組立体は、少なくとも１つの凹部を備える。それによって、充電ドックへの真空掃除機の安全且つ簡単な固定が提供される。
【００１８】
任意選択的に、第２の固定組立体は、床掃除ノズルに配置された凹部を備え、充電ドックは、真空掃除機が充電ドックに取り外し可能に置かれたときに、凹部に延在するように構成された突起を備える。それによって、ユーザが、充電ドックに真空掃除機を置くときに、突起が凹部に延在するように床掃除ノズルを置き、次いで、磁性組立体の磁気吸着部材が互いに近くなるように真空掃除機を位置合わせすることができる組立体が提供される。結果として、充電ドックへの真空掃除機の安全且つ簡単な固定が提供され、充電ドックへの真空掃除機の設置をさらに容易にする真空掃除機組立体が提供される。
【００１９】
任意選択的に、第２の固定組立体は、第２の磁性組立体を備える。それによって、ユーザが、真空掃除機を充電ドックに置くときに、第１及び第２の磁石組立体の一方が係合するように充電ドックに対して真空掃除機を置き、次いで、第１及び第２の磁石組立体の他方が係合するように充電ドックに対して真空掃除機を位置合わせすることができる、組立体が提供される。
【００２０】
よって、充電ドックへの真空掃除機の設置をさらに容易にする真空掃除機組立体が提供される。さらに、ユーザが第１の方向に対して垂直な方向に真空掃除機を単に移動させることによって真空掃除機を充電ドックに置くことができる組立体が提供される。結果として、充電ドックへの真空掃除機のさらに簡単な設置を提供することができる。
【００２１】
さらに、充電ドックからの真空掃除機の取り外しをさらに容易にする組立体が提供される。これは、充電ドックから真空掃除機を取り外したいユーザが、真空掃除機を簡単に把持して、第１の方向に対して垂直な方向へと真空掃除機上に力を加えることができるためである。結果として、第１及び第２のうちの一方の磁気吸着部材の間の分離力が得られる、これらの磁気吸着部材の分離を引き起こす磁性組立体。これらの磁気吸着部材が分離されると、充電ドックへの真空掃除機の１つの部分の固定が解放される。次いで、ユーザは、簡単な方法で、たとえば、第１の方向へと真空掃除機上に力を加えることによって、第１及び第２のうちの他方の間の固定力を解放し、磁性組立体、充電ドックから真空掃除機を解放することができる。
【００２２】
任意選択的に、充電ドックは床面上に置かれるように構成され、充電ドックは傾斜部を備え、充電ドックが床面上に置かれたとき、傾斜部は床面に隣接している。それによって、充電ドックへの真空掃除機の設置をさらに容易にする組立体が提供される。これは、ユーザが、充電ドックに真空掃除機を置くときに、傾斜を使用して、真空掃除機の一部を充電ドックに移動させることができるためである。たとえば、ユーザは傾斜を使用して、真空掃除機の車輪及び／又は真空掃除機の床掃除ノズルを充電ドックへ移動させることができる。
【００２３】
任意選択的に、傾斜部は傾斜面を備え、傾斜面と床面との間の角度は２０度より小さい。それによって、充電ドックへの真空掃除機の設置をさらに容易にする組立体が提供される。
【００２４】
任意選択的に、充電ドックは第１の接触ユニットを備え、真空掃除機は、真空掃除機が充電ドックに取り外し可能に置かれたときに、第１の接触ユニットに当接するように構成された第２の接触ユニットを備え、第１及び第２の接触ユニットのうちの少なくとも１つは、移動可能に配置される。それによって、充電ドックへの真空掃除機の設置をさらに容易にする組立体が提供される。さらに、第１の接触ユニットの接触ユニットと第２の接触ユニットの接触ユニットとの間の電気的接触がさらに保証される。
【００２５】
任意選択的に、磁性組立体は、真空掃除機の第１の部分を固定方向に充電ドックに固定させるように構成され、第１及び第２の接触ユニットのうちの少なくとも１つは、固定方向に対して角度がつけられている第２の方向に、移動可能に配置される。それによって、充電ドックへの真空掃除機の設置をさらに容易にする組立体が提供される。これは、磁性組立体の磁気吸着部材が互いに近くになるように真空掃除機が充電ドックに設置されるとき、磁気吸着部材間の吸着力が、第１及び第２の接触ユニットのうちの少なくとも１つを、固定方向から離れたある角度をなして移動させるためである。それによって、第１及び第２の接触ユニットのうちの少なくとも１つは、磁気吸着部材の吸着力より大きい力で移動することができる。結果として、充電ドックへの真空掃除機の設置はさらに容易になる。
【００２６】
さらに、第１及び第２の接触ユニットのうちの少なくとも１つは、固定方向に対して角度がつけられている第２の方向に、移動可能に配置されるので、真空掃除機のより厳密且つより安全な固定が提供される。これは、第１及び第２の接触ユニットのうちの少なくとも１つと別の接触ユニットとの間の当接力が、固定方向に対して角度がつけられ、その結果、磁石組立体の磁気吸着部材の間の吸着力、すなわち、固定力への影響が小さいためである。
【００２７】
任意選択的に、第２の方向と固定方向との間の角度は１５〜９０度である。それによって、充電ドックへの真空掃除機の設置をさらに容易にする組立体が提供され、充電ドックへの真空掃除機のより厳密且つより安全な固定が保証される。
【００２８】
任意選択的に、固定方向は第１の方向に対して略垂直である。結果として、充電ドックへの真空掃除機の設置をさらに容易にする真空掃除機組立体が提供される。これは、真空掃除機を充電ドックに置くとき、ユーザが、第１の方向に対して垂直な方向に、真空掃除機の第１の部分を簡単に移動させて、磁性組立体の磁気吸着部材が互いに近くなるように真空掃除機を位置合わせすることができるためである。磁性組立体の磁気吸着部材が互いに近くなるとき、磁性組立体は真空掃除機の第１の部分を充電ドックに固定させ、それにより、真空掃除機が所定の安全な位置で充電ドックに配置される。
【００２９】
さらに、固定方向が第１の方向に対して略垂直であるので、真空掃除機の安全且つ厳密な固定が保証される。
【００３０】
任意選択的に、充電ドックは、床面上に置かれるように構成され、固定方向及び第２の方向は、床面に対して略平行である。それによって、真空掃除機の安全且つ厳密な固定が保証される。さらに、充電ドックへの真空掃除機の設置をさらに容易にする真空掃除機組立体が提供される。これは、真空掃除機を充電ドックに置くとき、ユーザが、第１の方向に対して垂直な方向に、真空掃除機の第１の部分を簡単に移動させて、磁性組立体の磁気吸着部材が互いに近くなるように真空掃除機を位置合わせすることができるためである。磁性組立体の磁気吸着部材が互いに近くなるとき、磁性組立体は真空掃除機の第１の部分を充電ドックに固定させ、それにより、真空掃除機が所定の安全な位置で充電ドックに配置される。さらに、磁性組立体の磁気吸着部材間の吸着力が、接触ユニット間の電気的接触を保証してもよく、少なくとも１つの接触ユニットの移動を保証してもよい。
【００３１】
さらに、充電ドックからの真空掃除機の取り外しをさらに容易にする真空掃除機組立体が提供される。これは、充電ドックから真空掃除機を取り外したいユーザが、真空掃除機を簡単に把持して、第１の方向に対して垂直な方向へと真空掃除機上に力を加えることができるためである。結果として、磁性組立体の磁気吸着部材間の分離力が得られ、その力が磁気吸着部材の分離を引き起こす。磁気吸着部材が分離されると、真空掃除機の第１の部分の充電ドックへの固定は解放される。次いで、ユーザは、簡単な方法で充電ドックから真空掃除機の第２の部分を解放し、充電ドックから真空掃除機を解放することができる。
【００３２】
任意選択的に、第１の接触ユニット及び第２の接触ユニットのうちの少なくとも１つはドーム形である。それによって、真空掃除機が充電ドックに置かれるときに真空掃除機が向く方向に対する依存性がさらに小さい真空掃除機組立体が提供される。さらに、真空掃除機の充電ドックへの設置中の、第１及び第２の接触ユニットのうちの少なくとも１つの移動を容易にすることができる。
【００３３】
本発明のさらなる特徴、及び利点は、添付の特許請求の範囲及び以下の詳細説明を検討するとき明らかになる。
【００３４】
その特定の特徴及び利点を含む本発明のさまざまな態様は、以下の詳細説明及び添付図面において論じられる例示的な実施形態から、容易に理解されるであろう。
【図面の簡単な説明】
【００３５】
【図１】いくつかの実施形態による真空掃除機組立体を示す。
【図２】図１に示された、真空掃除機組立体の充電ドックを示す。
【図３】図２に示された充電ドックの傾斜部の断面を示す。
【図４】図１に示された、真空掃除機組立体の真空掃除機を示す。
【図５】いくつかのさらなる実施形態による真空掃除機組立体の断面を示す。
【発明を実施するための形態】
【００３６】
ここで、本発明の態様がより完全に記載される。同一の数字は全体を通して同一の要素を指す。よく知られている機能又は構成は、簡潔さ及び／又は明瞭さのために、必ずしも詳細に記載されるわけではない。
【００３７】
図１は、いくつかの実施形態による真空掃除機組立体１を示す。真空掃除機組立体１は、充電式スティック型真空掃除機３と、充電ドック５とを備える。簡潔さ及び／又は明瞭さのために、充電式スティック型真空掃除機３は、本明細書のいくつかの箇所では「真空掃除機３」と呼ばれる。真空掃除機３は、細長本体７と、細長本体３の第１の端部８．１に配置されたハンドル部４と、細長本体３の第２の端部８．２に配置された床掃除ノズル２１とを備える。真空掃除機３は、充電式電池と、電動モータと、羽根車とをさらに備える。これらの構成要素は、簡潔さ及び／又は明瞭さのために、図１には示されていない。電動モータは、ハンドル部４のボタンが押されたときに、充電式電池に蓄えられたエネルギを使用して羽根車を駆動するように構成されている。羽根車は、真空掃除機３の床掃除ノズル２１及びフィルタユニットに接続されている。羽根車は、床面１７などの表面を掃除するために、床掃除ノズル２１からフィルタユニットまで空気を圧送するように構成されている。充電式電池、電動モータ、羽根車、及びフィルタユニットは、ハンドル部４と床掃除ノズル２１との間の細長本体７内に配置されている。
【００３８】
図１において、真空掃除機３は、細長本体７が第１の方向ｄ１に沿って延在するような充電ドック５に取り外し可能に置かれている。組立体１は、真空掃除機３の第１の部分１１を充電ドック５に固定させるように構成された磁性組立体９、９'を備える。組立体１は、真空掃除機３の第２の部分１５を充電ドック５に固定させるように構成された第２の固定組立体１３、１３'をさらに備える。図１に示されるように、第２の部分１５は、第１の方向ｄ１に沿った第１の部分１１から距離ｄに配置される。示された実施形態によると、距離ｄは、第１の方向ｄ１の真空掃除機３の長さＬの約１７％である。第１の方向ｄ１の真空掃除機３の長さＬは、真空掃除機３の第１の端部８．１と真空掃除機３の第２の端部８．２との間の距離、すなわち、第１の方向ｄ１におけるハンドル４の最外部と第１の方向ｄ１の反対方向における床掃除ノズル２１の最外部との間の距離として定義されてもよい。さらなる実施形態によると、距離ｄは、第１の方向ｄ１への真空掃除機３の長さＬの５％、７％、１０％、１２％、又は１５％より大きくてもよい。さらに、距離ｄが、いくつかの実施形態によると、第１の方向ｄ１の真空掃除機３の長さＬの５％〜７０％、７％〜６０％、８％〜５０％、１０％〜４０％、１２％〜３５％、又は１５％〜３０％であってもよい。第２の部分１５が、第１の方向ｄ１に沿った第１の部分１１から距離ｄに配置されるので、充電ドック５の真空掃除機１の安全且つ厳密な固定が提供され、本明細書でさらに説明されるように、充電ドック５への真空掃除機３の設置、並びに、充電ドック５からの真空掃除機３の取り外しが容易になる。
【００３９】
図２は、図１に示された、真空掃除機組立体１の充電ドック５を示す。充電ドック５は、ベース部１８と、細長部２０と、支持部２２とを備える。充電ドック５のベース部１８は、床面１７上に置かれるように構成されている。細長部２０は、支持部２２をベース部１８に接続している。細長部２０は、第１の方向ｄ１と略一致する方向に延在する。支持部２２は、本明細書でさらに説明されるように、図１に示された真空掃除機３の第１の部分１１を支持するように構成されている。
【００４０】
図２に示された実施形態によると、充電ドック５は、ベース部１８に配置された傾斜部２９を備える。充電ドック５が床面１７上に置かれると、傾斜部２９は床面１７に隣接する。傾斜部２９は、図１に示された真空掃除機３の、図２に示された充電ドック５への設置を容易にする。
【００４１】
図３は、図２に示された傾斜部２９の断面を示す。示されるように、傾斜部２９は傾斜面３１を備える。示された実施形態によると、傾斜面３１と床面１７との間の角度ａ１は約１９度である。さらなる実施形態によると、傾斜面３１と床面１７との間の角度ａ１は、１２〜２０度、１４〜２０度、１６〜２０度、１７〜２０度、又は１８〜２０度であってもよい。傾斜面３１と床面１７との間の角度ａ１が小さいため、充電ドック５への真空掃除機３の設置はさらに容易になる。
【００４２】
図４は、図１に図示された、真空掃除機組立体１の真空掃除機３を示す。示された実施形態によると、真空掃除機３は、真空掃除機３の第２の端部８．２に配置された車輪１９を備える。床掃除ノズル２１は、車輪１９の回転軸と一致する軸において、細長本体７に対してヒンジ結合されている。よって、掃除中、ユーザは、真空掃除機３のハンドル部４を保持して、床面１７に沿って床掃除ノズル２１を移動させることができる。車輪１９は、細長本体７、並びに、床掃除ノズル２１の一部を支持する。さらに、図２に示された充電ドック５に真空掃除機３を置くとき、車輪１９は、床面１７をころがり、傾斜部２９を上って充電ドック５に入ることができる。
【００４３】
図２に示された充電ドック５は、図１に示された磁性組立体９、９'のうちの第１の磁気吸着部材９を備える。図４に示された真空掃除機３は、図１に示された磁性組立体９、９'のうちの第２の磁気吸着部材９'を備える。図４に示された第２の磁気吸着部材９'が図２に示された第１の磁気吸着部材９に近づくと、第２の磁気吸着部材９'は、固定方向ｆｄの方へ、図２に示された第１の磁気吸着部材９に引き寄せられる。その結果、図１で示された真空掃除機３の第１の部分１１は、充電ドック５に固定される。
【００４４】
さらに、図１、図２、及び図４に示された実施形態によると、第２の固定組立体１３、１３'は、真空掃除機３の第２の部分１５を充電ドック５に固定させるように構成された第２の磁性組立体２３、２３'を備える。図２に示された充電ドック５は、第２の磁性組立体２３、２３'のうちの第１の磁気吸着部材２３を備える。図４に示された真空掃除機３は、第２の磁性組立体２３、２３'のうちの第２の磁気吸着部材２３'を備える。図４に示された第２の磁気吸着部材２３'が図２に示された第１の磁気吸着部材２３に近づくと第２の磁気吸着部材２３'は、固定方向ｆｄの方へ、図２に示された第１の磁気吸着部材２３に引き寄せられる。その結果、図１に示された真空掃除機３の第２の部分１５は、充電ドック５に固定される。
【００４５】
さらに、図１、図２、及び図４に示された実施形態によると、第２の固定組立体１３、１３'は、充電ドック５のベース部１８に配置された凹部２５．１をさらに備える。図４に示された車輪１９の一部は、真空掃除機３が充電ドック５にあるとき、図２に示された凹部２５．１に延在するように構成されている。結果として、真空掃除機３が充電ドック５に置かれたとき、真空掃除機３の第２の部分１５は充電ドック５にさらに固定される。
【００４６】
さらに、図１、図２、及び図４に示された実施形態によると、第２の固定組立体１３、１３'は、凹部２５．１に隣接してベース部１８に配置された突起２７．１をさらに備える。図４に示された車輪１９の一部は、図２に示された突起２７．１に当接するように構成されている。結果として、真空掃除機３が充電ドック５に置かれたとき、真空掃除機３の第２の部分１５は充電ドック５にさらに固定される。
【００４７】
いくつかの実施形態によると、第２の固定組立体１３、１３'は、第２の磁性組立体２３、２３'、凹部２５．１、及び突起２７．１のうちの１つのみ、又は２つのみ備えてもよく、或いは、示された実施形態による事例のように、第２の磁性組立体２３、２３'、凹部２５．１、並びに突起２７．１を備えてもよい。
【００４８】
図２に示されるように、充電ドック５は、充電ドック５の支持部２２に配置された第１の接触ユニット３３、３３'を備える。図４に示されるように、真空掃除機３は、第２の接触ユニット３５、３５'を備える。第２の接触ユニット３５、３５'は、真空掃除機３が充電ドック５に取り外し可能に置かれたときに、第１の接触ユニット３３、３３'に当接するように構成されている。充電ドック５は、第１の接触ユニット３３、３３'及び第２の接触ユニット３５、３５'を介して、真空掃除機３の充電式電池を充電するように構成されている。示された実施形態によると、第１の接触ユニット３３、３３'はそれぞれ、第２の方向ｄ２に移動可能に配置されている。簡潔さ及び／又は明瞭さのために、図２には第２の方向ｄ２は１つだけ示されている。しかしながら、参照符号「３３'」で示された接触ユニット３３'も、本明細書でさらに説明されるように、第２の方向ｄ２に対応する第２の方向に移動可能に配置されている。さらにまた、第１の接触ユニット３３、３３'はそれぞれ、それらのそれぞれの第２の方向ｄ２の反対方向に付勢、たとえば、ばね付勢されている。
【００４９】
上述のとおり、磁性組立体９、９'は、真空掃除機３の第１の部分１１を充電ドック５へと固定方向ｆｄに固定させるように構成されている。第１の接触ユニット３３、３３'はそれぞれ、固定方向ｆｄに対して角度をつけられている第２の方向ｄ２に移動可能に配置されている。さらに、第１の接触ユニット３３、３３'はそれぞれ、固定方向ｆｄの反対方向に対して角度をつけられている方向に付勢されている。示された実施形態によると、第２の方向ｄ２と固定方向ｆｄとの間の角度ａ２は約６０度である。さらなる実施形態によると、第２の方向ｄ２と固定方向ｆｄとの間の角度ａ２は、１５〜９０度、２０〜８５度、３０〜８０度、４０〜８０度、４５〜７５度、５０〜７０度、又は５５〜６５度であってもよい。第１の接触ユニット３３、３３'がそれぞれ、固定方向ｆｄに対して角度をつけられている第２の方向ｄ２に移動可能に配置されているので、磁性組立体９、９'の磁気吸着部材９、９'の間の吸着力は、固定方向ｆｄに対して角度をつけられた方向ｄ２へ第１の接触ユニット３３、３３'を移動させる。それによって、第１の接触ユニット３３、３３'は、磁気吸着部材９、９'間の吸着力より大きい力で移動することができる。結果として、充電ドック５への真空掃除機３の設置はさらに容易になる。さらなる結果として、真空掃除機３のより厳密且つより安全な固定が提供される。これは、第１の接触ユニット３３、３３'と第２の接触ユニット３５、３５'との間の当接力が、固定方向ｆｄに対して角度がつけられ、その結果、磁気吸着部材９、９'の磁石組立体９、９'の間の固定への影響が小さいためである。
【００５０】
さらに、示された実施形態によると、第１の接触ユニット３３、３３'はドーム形である。それによって、充電ドック５への真空掃除機３の設置は容易になる。さらに、第１の接触ユニット３３、３３'の第２の方向ｄ２への移動が容易になる。さらなる実施形態によると、図４に示された、真空掃除機３の第２の接触ユニット３５、３５'は、移動可能に配置されてもよく、ドーム形であってもよい。
【００５１】
図２に示されるように、示された実施形態によると、固定方向ｆｄは、第１の方向ｄ１に対して略垂直である。さらに、固定方向ｆｄ及び第２の方向ｄ２は、床面１７に対して略平行である。充電ドック５が床面１７上に置かれたとき、第１の方向ｄ１と磁性組立体９、９'の第１の磁気吸着部材９とを備える平面ｐは、床面１７に対して略垂直である。平面ｐが第１の方向ｄ１を含むので、接触ユニット３３はまた、平面ｐに対して角度ａ２で第２の方向ｄ２に移動可能に配置され、接触ユニット３３'は、平面ｐに対して角度ａ２と同じ寸法を有する角度であるが平面ｐの反対側の方向に移動可能に配置される。
【００５２】
上述のとおり、第１の方向ｄ１と磁性組立体９、９'とを備える平面ｐは、床面１７に対して略垂直である。いくつかの実施形態によると、平面ｐ１に対して垂直である、第１の方向ｄ１を含む第２の平面は、０〜２０度、０〜１５度、０〜１０度、又は０〜５度の角度で床面１７に対して角度がつけられてもよい。
【００５３】
さらに、図１及び図２に示された実施形態によると、充電ドック５の支持部２２は、第１の支持プロファイル２２．１と第２の支持プロファイル２２．２とを備える。第１の支持プロファイル２２．１及び第２の支持プロファイル２２．２はそれぞれ、平面ｐから延在し、平面ｐに対して曲がった形状でそれぞれ設けられている。結果として、支持構造２２は、図１に示されるように、平面ｐに対して垂直な方向にも真空掃除機３の第１の部分１１を支持する。示された実施形態によると、第１の支持構造２２．１は、第１の接触ユニット３３、３３'のうちの接触ユニット３３を備え、第２の支持構造２２．２は、第１の接触ユニット３３、３３'のうちの別の接触ユニット３３'を備える。接触ユニット３３の位置の第１の支持構造２２．１の面法線は、第２の方向ｄ２の略反対である。同様に、接触ユニット３３'の位置の第２の支持構造２２．２の面法線は、接触ユニット３３'が移動できる方向の略反対である。さらに、示された実施形態によると、磁性組立体９、９'の第１の磁気吸着部材９は、第１の支持プロファイル２２．１と第２の支持プロファイル２２．２との間の支持部２２に配置されている。結果として、図４に示された磁性組立体９、９'の第２の磁気吸着部材９'が、図２に示された第１の磁気吸着部材９に近づくと、第２の磁気吸着部材９は第１の磁性部材９の方へ移動する。それによって、第１の接触ユニット３３、３３'は効率的に移動する。さらに、それぞれの支持構造２２．１、２２．２は、図４に示された真空掃除機３の第１の部分１１に対する支持を提供する。
【００５４】
磁石組立体９、９'の磁気吸着部材９、９'のうちの一方は、磁場を発生する磁石を備えてもよく、磁石組立体９、９'の磁気吸着部材９、９'のうちの他方は、強磁性材料を備えてもよく、それにより、互いに近づくと、磁気吸着部材９、９'の間に吸着力が得られる。代替として、磁石組立体９、９'の両方の磁気吸着部材９、９'が、磁場を発生する磁石を備えてもよい。このような実施形態によると、磁気吸着部材９、９'は、互いに近づくと、磁気吸着部材９、９'の間に吸着力が得られるように向けられる。同様に、第２の磁石組立体２３、２３'の磁気吸着部材２３、２３'のうちの一方は、磁場を発生する磁石を備えてもよく、第２の磁石組立体２３、２３'の磁気吸着部材２３、２３'のうちの他方は、強磁性材料を備えてもよく、それにより、互いに近づくと、磁気吸着部材２３、２３'の間に吸着力が得られる。代替として、第２の磁石組立体２３、２３'の両方の磁気吸着部材２３、２３'が、磁場を発生する磁石を備えてもよい。このような実施形態によると、磁気吸着部材２３、２３'は、互いに近づくと、磁気吸着部材２３、２３'の間に吸着力が得られるように向けられる。
【００５５】
図５は、いくつかのさらなる実施形態による真空掃除機組立体１の断面を示す。これらの実施形態によると、第２の固定組立体１３、１３'は、第１の突起２７．１と、第２の突起２７．２と、第３の突起２７．３とを備え、それぞれ、充電ドック５のベース部１８に配置されている。さらに、これらの実施形態によると、第２の固定組立体１３、１３'は、充電ドック５のベース部１８に配置された第１の凹部２５．１と、床掃除ノズル２１に配置された第２の凹部２５．２とを備える。
【００５６】
真空掃除機３の車輪１９の一部は、第１の凹部２５．１に延在するように構成されており、第１の突起２７．１は、真空掃除機３が充電ドック５に置かれると、車輪１９の一部に当接するように構成されている。よって、これらの実施形態並びに本明細書に記載される他の実施形態によると、真空掃除機５の第２の部分１５は、少なくとも１つの車輪１９の一部であってもよい。
【００５７】
さらに、示された実施形態によると、充電ドック５の第３の突起２７．３は、真空掃除機３が充電ドック５に置かれると、床掃除ノズル２１に配置された凹部２５．２に延在するように構成されている。さらに、充電ドック５の第２の突起２７．２は、真空掃除機３が充電ドック５に置かれると、床掃除ノズル２１の前部に当接するように構成されている。これらの特徴のために、充電ドック５への真空掃除機３のさらに厳密且つ安全な設置が提供される。よって、これらの実施形態並びに本明細書に記載される他の実施形態によると、真空掃除機５の第２の部分１５は、車輪１９の代替として、又は、車輪１９に加えて、床掃除ノズル２１の一部であってもよい。いくつかの実施形態によると、第１の突起部２７．１、第２の突起２７．２、及び第３の突起２７．３のうちの１つ又は複数は、充電ドック５からの真空掃除機３の取り外しを容易にするために、且つ／又は、充電ドック５への真空掃除機３の設置を容易にするために、充電ドック５のベース部１８に対して移動可能に配置されてもよい。
【００５８】
いくつかの実施形態によると、第２の固定組立体１３、１３'は、第１の凹部２５．１、第１の突起２７．１、第２の突起２７．２及び第２の凹部２５．２、並びに第３の凹部２５．３のうちの１つのみ、２つのみ、又は３つのみ備えてもよい。さらに、図５に示された実施形態の第２の固定組立体１３、１３'は、図１、図２、及び図４に示された実施形態に関して記載されたように、第１の凹部２５．１、第１の突起２７．１、第２の突起２７．２及び第２の凹部２５．２、並びに第３の凹部２５．３のうちの１つ又は複数の代替として、又はそれらに加えて、第２の磁性組立体２３、２３'を備えてもよい。
【００５９】
上記はさまざまな例示的実施形態の説明であり、本発明は添付の特許請求の範囲によってのみ定義されることが理解されるべきである。当業者は、例示的実施形態は修正されてもよく、例示的実施形態のそれぞれの特徴は、本明細書に記載された実施形態以外の実施形態を作成するために、添付の特許請求の範囲に定義された本発明の範囲を逸脱しない限り、組み合わされてもよいことを理解するであろう。
【００６０】
本明細書で使用される場合、用語「備える（ｃｏｍｐｒｉｓｉｎｇ）」又は「備える（ｃｏｍｐｒｉｓｅｓ）」は開放式（ｏｐｅｎ−ｅｎｄｅｄ）であり、１つ又は複数の説明された特徴、要素、ステップ、構成要素、又は機能を含むが、１つ又は複数の他の特徴、要素、ステップ、構成要素、機能、又はその群の存在又は付加を排除するものではない。
【図１】
2021505222.tif 000003
【図２】
2021505222.tif 000004
【図３】
2021505222.tif 000005
【図４】
2021505222.tif 000006
【図５】
2021505222.tif 000007
【国際調査報告】
2021505222.tif 000008
2021505222.tif 000009